(57)【要約】  【課題】  ユーザの身分証明を示す識別証をスキャンし、その識別情報が登録されている端末装置にスキャン画像データを転送できるようにしたデータ転送システムを提供する。  【解決手段】  ユーザの身分証明を示す識別証がスキャナプリンタ１００によりスキャンされ、識別情報が読み取られ、その識別情報は予め登録されているということがサーバ装置としてのパソコン１６において検索された場合、その識別情報が予め登録されている端末装置としての例えばパソコン１８に、スキャナプリンタ１００からのスキャン画像データが転送される。この構成により、ユーザの身分証明を示す識別情報の入力操作の手間がなくなり、また、スキャン画像データの磁気ディスクなどへの書き込み処理に関する操作の手間がなくなり、したがって、ユーザにとって使い勝手が良くなる。【選択図】      図１
2005073194.tif 000002
【特許請求の範囲】
【請求項１】
所定のネットワークに接続された複数の端末装置と、前記ネットワークに接続されたサ
ーバ装置と、このサーバ装置に接続されたスキャナプリンタとを備え、前記スキャナプリ
ンタによりスキャンされたスキャン画像データを、前記サーバ装置を介して前記ネットワ
ークに接続された指定の端末装置に転送できるように構成されたデータ転送システムであ
って、前記スキャナプリンタは、ユーザの身分証明を示す識別証をスキャンして識別情報
を読み取ったり、転送すべき原稿をスキャンして画像データを読み取ったりするスキャン
手段と、前記スキャンして読み取られたスキャン画像データを指定した端末装置に転送す
るための転送キーを有する操作手段と、前記転送キーの押下による転送指示命令を検出す
る命令検出手段と、前記検出された転送指示命令を前記サーバ装置に送信する送信手段と
、前記サーバ装置からのスキャン命令を受信する受信手段と、前記受信したスキャン命令
に応答して前記スキャン手段をスキャン動作させるためのスキャン制御信号を出力する制
御信号出力手段とを備え、前記サーバ装置は、予め設定した識別証サイズの所定スキャン
領域のスキャン命令を前記スキャナプリンタに対して指示するスキャン命令指示手段と、
前記スキャナプリンタからの識別情報が予め登録されているか否かを検索する検索手段と
、前記識別情報が検索された場合、前記識別情報が予め登録されている端末装置に前記ス
キャン手段で読み取ったスキャン画像データを転送するように前記スキャナプリンタにデ
ータ転送要求する転送要求手段と、転送先および転送すべきスキャン画像データを表示す
る表示手段と、前記表示された転送先およびスキャン画像データが正しければ前記操作手
段の操作に応答して転送先の端末装置にスキャン画像データを転送する転送手段とを備え
、また、前記スキャナプリンタを用いてコピー印刷やスキャンを行った場合の使用料金の
情報を、前記サーバ装置を介して該当の端末装置に転送することができるように構成する
ことも可能であることを特徴とするデータ転送システム。
【請求項２】
所定のネットワークに接続された複数の端末装置と、前記ネットワークに接続されたサ
ーバ装置と、このサーバ装置に接続されたスキャナプリンタとを備え、前記スキャナプリ
ンタによりスキャンされたスキャン画像データを、前記サーバ装置を介して前記ネットワ
ークに接続された指定の端末装置に転送できるように構成されたデータ転送システムであ
って、前記スキャナプリンタは、ユーザの身分証明を示す識別証をスキャンして識別情報
を読み取り、前記サーバ装置は、前記スキャナプリンタからの識別情報が予め登録されて
いることを検索した場合、前記識別情報が予め登録されている端末装置に、前記スキャナ
プリンタで読み取ったスキャン画像データを転送することを特徴とするデータ転送システ
ム。
【請求項３】
前記スキャナプリンタは、ユーザの身分証明を示す識別証をスキャンして識別情報を読
み取ったり、転送すべき原稿をスキャンして画像データを読み取ったりするスキャン手段
と、前記スキャンして読み取られたスキャン画像データを指定した端末装置に転送するた
めの転送キーを有する操作手段と、前記転送キーの押下による転送指示命令を検出する命
令検出手段と、前記検出された転送指示命令を前記サーバ装置に送信する送信手段と、前
記サーバ装置からのスキャン命令を受信する受信手段と、前記受信したスキャン命令に応
答して前記スキャン手段をスキャン動作させるためのスキャン制御信号を出力する制御信
号出力手段とを備えたことを特徴とする請求項２に記載のデータ転送システム。
【請求項４】
前記サーバ装置は、予め設定した識別証サイズの所定スキャン領域のスキャン命令を前
記スキャナプリンタに対して指示するスキャン命令指示手段と、前記スキャナプリンタか
らの識別情報が予め登録されているか否かを検索する検索手段と、前記識別情報が検索さ
れた場合、前記識別情報が予め登録されている端末装置に前記スキャン手段で読み取った
スキャン画像データを転送するように前記スキャナプリンタにデータ転送要求する転送要
求手段と、転送先および転送すべきスキャン画像データを表示する表示手段と、前記表示
された転送先およびスキャン画像データが正しければ前記操作手段の操作に応答して転送
先の端末装置にスキャン画像データを転送する転送手段とを備えたことを特徴とする請求
項２に記載のデータ転送システム。
【請求項５】
前記スキャナプリンタを用いてコピー印刷やスキャンを行った場合の使用料金の情報を
、前記サーバ装置を介して該当の端末装置に転送することができるように構成することも
可能であることを特徴とする請求項２に記載のデータ転送システム。
【発明の詳細な説明】
【技術分野】
【０００１】
本発明は、所定のネットワークに接続された複数の端末装置と、前記ネットワークに接
続されたサーバ装置と、このサーバ装置に接続されたスキャナプリンタとを備え、前記ス
キャナプリンタによりスキャンされたスキャン画像データを、前記サーバ装置を介して前
記ネットワークに接続された指定の端末装置に転送できるように構成されたデータ転送シ
ステムに関する。
【背景技術】
【０００２】
従来から、スキャナプリンタにおいては、原稿台にセットされた原稿をスキャナにより
読み取り、この読み取ったスキャン画像データをプリント部に入力し、プリント部で前記
原稿内容を示す画像を記録用紙に印刷して出力するように構成されている。また、このよ
うなスキャナプリンタでスキャンされた画像データを、ネットワークに接続されたパーソ
ナルコンピュータなどの端末装置に送る場合、そのスキャン画像データを磁気ディスク（
フロッピー（登録商標）ディスク等）やＣＤ−Ｒなどに一旦書き込み、書き込んだ磁気デ
ィスクやＣＤ−Ｒなどを、ネットワークに接続されてサーバ装置として用いられた端末装
置にセットし、この端末装置から転送先の端末装置へスキャン画像データを転送している
。
【特許文献１】特開２００１−３４４６５６号公報
【特許文献２】特開２００２−２５９７１６号公報
【発明の開示】
【発明が解決しようとする課題】
【０００３】
しかしながら、このようなスキャナプリンタでスキャンされた画像データを、ネットワ
ークに接続されたパーソナルコンピュータなどの端末装置に送る場合、そのスキャン画像
データを磁気ディスクやＣＤ−Ｒなどに一旦書き込まなければならないので、ユーザにと
ってはスキャン画像データの書き込み処理に関する操作に手間がかかるという課題が生じ
る。
【０００４】
また、ネットワークに接続された複数の端末装置のうち、指定された端末装置に送る場
合、サーバ装置として用いられる端末装置にユーザの身分証明を示す識別情報を入力し、
その識別情報が予め登録されている識別情報であれば、その識別情報が登録されている転
送先の入力が可能になるので、ユーザの身分証明を示す識別情報の入力操作に手間がかか
るという課題が生じる。
【０００５】
なお、特許文献１の従来技術では、出力装置は、免許証、保険証、パスポート等の身分
証明書を読み取って、ネットワークを介してサーバに送信し、サーバは、送信されてきた
身分証明書の個人情報と、予め登録されているサービス利用者の個人情報とが一致するか
否かを判定し、一致した場合に、出力装置にサービス使用権受託通知を送信し、サービス
利用者を特定するようにしているが、ユーザの身分証明を示す識別情報が登録されていれ
ば、その識別情報が登録されている転送先の端末装置を指定し、この指定した端末装置に
スキャン画像データを転送する処理については開示されていないので、上記課題を解決で
きるものではない。
【０００６】
また、特許文献２の従来技術では、カードリーダにより読み取られる個人識別情報と、
サーバコンピュータから取得される画像出力制限者情報とを、スキャナ部ＣＰＵが比較し
て画像処理要求を制限し、正当なユーザであれば、カードリーダにより読み取られる個人
識別情報を、画像処理部が個人識別画像データに変換し、この変換された個人識別画像デ
ータと前記画像処理要求されているユーザ要求画像データとから出力すべき出力画像デー
タを生成するように構成されているが、この従来技術も前記の従来技術と同様、ユーザの
身分証明を示す識別情報が登録されていれば、その識別情報が登録されている転送先の端
末装置を指定し、この指定した端末装置にスキャン画像データを転送する処理については
開示されていないので、上記課題を解決できるものではない。
【０００７】
本発明は、上記のような課題を解決するためになされたもので、ユーザの身分証明を示
す識別証をスキャンし、その識別情報が予め登録されていれば、その識別情報が登録され
ている転送先の端末装置を指定し、この指定した端末装置にスキャン画像データを転送す
ることができるデータ転送システムを提供することを目的とする。
【課題を解決するための手段】
【０００８】
上記目的を達成するために、請求項１の発明は、所定のネットワークに接続された複数
の端末装置と、前記ネットワークに接続されたサーバ装置と、このサーバ装置に接続され
たスキャナプリンタとを備え、前記スキャナプリンタによりスキャンされたスキャン画像
データを、前記サーバ装置を介して前記ネットワークに接続された指定の端末装置に転送
できるように構成されたデータ転送システムであって、前記スキャナプリンタは、ユーザ
の身分証明を示す識別証をスキャンして識別情報を読み取ったり、転送すべき原稿をスキ
ャンして画像データを読み取ったりするスキャン手段と、前記スキャンして読み取られた
スキャン画像データを指定した端末装置に転送するための転送キーを有する操作手段と、
前記転送キーの押下による転送指示命令を検出する命令検出手段と、前記検出された転送
指示命令を前記サーバ装置に送信する送信手段と、前記サーバ装置からのスキャン命令を
受信する受信手段と、前記受信したスキャン命令に応答して前記スキャン手段をスキャン
動作させるためのスキャン制御信号を出力する制御信号出力手段とを備え、前記サーバ装
置は、予め設定した識別証サイズの所定スキャン領域のスキャン命令を前記スキャナプリ
ンタに対して指示するスキャン命令指示手段と、前記スキャナプリンタからの識別情報が
予め登録されているか否かを検索する検索手段と、前記識別情報が検索された場合、前記
識別情報が予め登録されている端末装置に前記スキャン手段で読み取ったスキャン画像デ
ータを転送するように前記スキャナプリンタにデータ転送要求する転送要求手段と、転送
先および転送すべきスキャン画像データを表示する表示手段と、前記表示された転送先お
よびスキャン画像データが正しければ前記操作手段の操作に応答して転送先の端末装置に
スキャン画像データを転送する転送手段とを備え、また、前記スキャナプリンタを用いて
コピー印刷やスキャンを行った場合の使用料金の情報を、前記サーバ装置を介して該当の
端末装置に転送することができるように構成することも可能であることを特徴とするデー
タ転送システムを提供する。
【０００９】
この構成において、スキャナプリンタにてスキャンした画像データを指定の端末装置に
転送するためには、先ず、操作手段に備えられている転送キーを押す。この転送キーが押
されると、転送指示命令が命令検出手段により検出される。そして、命令検出手段は、送
信手段を介して転送指示命令をサーバ装置に送る。
【００１０】
その転送指示命令を受け取ったサーバ装置は、予め設定したユーザの身分証明を示す識
別証サイズのスキャン領域のスキャン命令をスキャナプリンタに対して指示する。スキャ
ナプリンタにおいて、受信手段を介してスキャン命令を受け取った制御信号出力手段は、
スキャン手段をスキャン動作させるためのスキャン制御信号を出力する。
【００１１】
これにより、スキャン手段は、セットされたユーザの身分証明を示す識別証をスキャン
して、識別情報データを出力し、この識別情報データは、送信手段を介してサーバ装置に
送られる。そして、サーバ装置の検索手段は、その識別情報データが予め登録されている
データであるか否かを検索する。
【００１２】
その結果、その識別情報データが予め登録されているデータであれば、転送要求手段は
、その識別情報データが予め登録されている転送先の端末装置に、これからスキャンする
画像データを転送するように設定する。その後は、通常通り、原稿の画像をスキャン手段
によりスキャンし、そのスキャン画像データを指定の転送先の端末装置に転送しても良い
かどうかを表示手段の表示により確認し、ＯＫであれば、操作手段の操作に応答して転送
手段は、指定の転送先の端末装置に、そのスキャン画像データの転送を行う。
【００１３】
この構成によれば、ユーザの身分証明を示す識別証をスキャンし、その識別情報が予め
登録されていれば、その識別情報が予め登録されている転送先の端末装置を指定し、この
指定した端末装置にスキャン画像データを転送することができるので、ユーザの身分証明
を示す識別情報の入力操作の手間がなくなり、また、スキャン画像データを磁気ディスク
やＣＤ−Ｒなどに一旦書き込む必要がなくなることにより、スキャン画像データの書き込
み処理に関する操作の手間がなくなり、したがって、ユーザにとって使い勝手の良いデー
タ転送システムが得られる。
【００１４】
また、前記スキャナプリンタを用いてコピー印刷やスキャンを行った場合の使用料金の
情報を、前記サーバ装置を介して該当の端末装置に転送することも可能になるように構成
した場合は、各端末装置でコピー印刷やスキャンの使用料金を管理することができ、管理
事務の効率が向上する。
【００１５】
請求項２の発明は、所定のネットワークに接続された複数の端末装置と、前記ネットワ
ークに接続されたサーバ装置と、このサーバ装置に接続されたスキャナプリンタとを備え
、前記スキャナプリンタによりスキャンされたスキャン画像データを、前記サーバ装置を
介して前記ネットワークに接続された指定の端末装置に転送できるように構成されたデー
タ転送システムであって、前記スキャナプリンタは、ユーザの身分証明を示す識別証をス
キャンして識別情報を読み取り、前記サーバ装置は、前記スキャナプリンタからの識別情
報が予め登録されていることを検索した場合、前記識別情報が予め登録されている端末装
置に、前記スキャナプリンタで読み取ったスキャン画像データを転送することを特徴とす
るデータ転送システムを提供する。
【００１６】
この構成において、ユーザの身分証明を示す識別証がスキャナプリンタによりスキャン
され、識別情報が読み取られ、その識別情報は予め登録されているということがサーバ装
置において検索された場合、その識別情報が予め登録されている端末装置に、スキャナプ
リンタで読み取ったスキャン画像データが転送される。
【００１７】
この構成によれば、ユーザの身分証明を示す識別証をスキャンし、その識別情報が予め
登録されていれば、その識別情報が登録されている転送先の端末装置を指定し、この指定
した端末装置にスキャン画像データを転送することができるので、ユーザの身分証明を示
す識別情報の入力操作の手間がなくなり、また、スキャン画像データを磁気ディスクやＣ
Ｄ−Ｒなどに一旦書き込む必要がなくなることにより、スキャン画像データの書き込み処
理に関する操作の手間がなくなり、したがって、ユーザにとって使い勝手の良いデータ転
送システムが得られる。
【００１８】
請求項３の発明では、請求項２の発明におけるスキャナプリンタは、ユーザの身分証明
を示す識別証をスキャンして識別情報を読み取ったり、転送すべき原稿をスキャンして画
像データを読み取ったりするスキャン手段と、前記スキャンして読み取られたスキャン画
像データを指定した端末装置に転送するための転送キーを有する操作手段と、前記転送キ
ーの押下による転送指示命令を検出する命令検出手段と、前記検出された転送指示命令を
前記サーバ装置に送信する送信手段と、前記サーバ装置からのスキャン命令を受信する受
信手段と、前記受信したスキャン命令に応答して前記スキャン手段をスキャン動作させる
ためのスキャン制御信号を出力する制御信号出力手段とを備えたので、ユーザの身分証明
を示す識別情報の入力操作の手間がなくすことができ、また、スキャン画像データを磁気
ディスクやＣＤ−Ｒなどに一旦書き込む必要がなくなることにより、書き込み処理に関す
る操作の手間をなくすことができる。
【００１９】
請求項４の発明では、請求項２の発明におけるサーバ装置は、予め設定した識別証サイ
ズの所定スキャン領域のスキャン命令を前記スキャナプリンタに対して指示するスキャン
命令指示手段と、スキャナプリンタからの識別情報が予め登録されているか否かを検索す
る検索手段と、前記識別情報が検索された場合、前記識別情報が予め登録されている端末
装置に前記スキャン手段で読み取ったスキャン画像データを転送するようにスキャナプリ
ンタにデータ転送要求する転送要求手段と、転送先および転送すべきスキャン画像データ
を表示する表示手段と、前記表示された転送先およびスキャン画像データが正しければ操
作手段の操作に応答して転送先の端末装置にスキャン画像データを転送する転送手段とを
備えたので、ユーザの身分証明を示す識別証をスキャンして得た識別情報が登録されてい
る転送先の端末装置を指定し、この指定した端末装置にスキャン画像データを転送するこ
とができる。
【００２０】
また、請求項５の発明のように、スキャナプリンタを用いてコピー印刷やスキャンを行
った場合の使用料金の情報を、サーバ装置を介して該当の端末装置に転送することも可能
になるように構成した場合は、各端末装置でコピー印刷やスキャンの使用料金を管理する
ことができ、管理事務の効率が向上する。
【発明の効果】
【００２１】
以上のように本発明によれば、スキャナプリンタは、ユーザの身分証明を示す識別証を
スキャンして識別情報を読み取ったり、転送すべき原稿をスキャンして画像データを読み
取ったりするスキャン手段と、前記スキャンして読み取られたスキャン画像データを指定
した端末装置に転送するための転送キーを有する操作手段と、前記転送キーの押下による
転送指示命令を検出する命令検出手段と、前記検出された転送指示命令をサーバ装置に送
信する送信手段と、前記サーバ装置からのスキャン命令を受信する受信手段と、前記受信
したスキャン命令に応答して前記スキャン手段をスキャン動作させるためのスキャン制御
信号を出力する制御信号出力手段とを備え、前記サーバ装置は、予め設定した識別証サイ
ズの所定スキャン領域のスキャン命令を前記スキャナプリンタに対して指示するスキャン
命令指示手段と、前記スキャナプリンタからの識別情報が予め登録されているか否かを検
索する検索手段と、前記識別情報が検索された場合、前記識別情報が予め登録されている
端末装置に前記スキャン手段で読み取ったスキャン画像データを転送するように前記スキ
ャナプリンタにデータ転送要求する転送要求手段と、転送先および転送すべきスキャン画
像データを表示する表示手段と、前記表示された転送先およびスキャン画像データが正し
ければ前記操作手段の操作に応答して転送先の端末装置にスキャン画像データを転送する
転送手段とを備えたので、ユーザの身分証明を示す識別情報の入力操作の手間がなくなり
、また、スキャン画像データを磁気ディスクやＣＤ−Ｒなどに一旦書き込む必要がなくな
ることにより、スキャン画像データの書き込み処理に関する操作の手間がなくなり、した
がって、ユーザにとって使い勝手の良いデータ転送システムが得られる。
【００２２】
また、本発明によれば、スキャナプリンタは、ユーザの身分証明を示す識別証をスキャ
ンして識別情報を読み取り、サーバ装置は、前記スキャナプリンタからの識別情報が予め
登録されていることを検索した場合、前記識別情報が予め登録されている端末装置に、前
記スキャナプリンタで読み取ったスキャン画像データを転送するので、ユーザの身分証明
を示す識別情報の入力操作の手間がなくなり、また、スキャン画像データを磁気ディスク
やＣＤ−Ｒなどに一旦書き込む必要がなくなることにより、スキャン画像データの書き込
み処理に関する操作の手間がなくなり、したがって、ユーザにとって使い勝手の良いデー
タ転送システムが得られる。
【発明を実施するための最良の形態】
【００２３】
以下、添付図面を参照しつつ、本発明の実施の形態について説明する。図１は本発明の
一実施形態に係るデータ転送システムの構成を示すブロック図である。
【００２４】
図１において、スキャナプリンタ１００は、メイン回路基板１、ヘッド回路基板２、イ
ンターフェイス６、電源部８、操作部９、スキャナユニット１０、スキャナ用モータ１２
、フィード用モータ１３、キャリア用モータ１４、およびヘッドカートリッジ１５を備え
ている。
【００２５】
メイン回路基板１には、スキャナ回路部３と処理回路部４とアナログ回路部５とセンサ
７が実装されている。スキャナ回路部３は、インターフェイス６を介してサーバ装置とな
るパソコン（パーソナルコンピュータ）１６へデータを送信したり、パソコン１６からの
データをインターフェイス６を介して受信したりする送受信部（送信手段、受信手段）３
１と、操作部（操作手段）９との間で信号の入出力を制御するＩ／Ｏコントローラ３２と
、スキャナユニット（スキャン手段）１０を制御するスキャナコントローラ３３と、スキ
ャナ用モータ１２を回転駆動させるモータドライバ１１を制御するモータコントローラ３
４とを備えている。
【００２６】
処理回路部４は、各構成要素を制御するための演算処理を行うＭＰＵ（マイクロ・プロ
セッサ・ユニット）４１と、このＭＰＵ４１の演算処理に必要なデータを一時的に格納す
るＳＲＡＭ４２とを備えている。ＭＰＵ４１には、操作部９の転送キーの押下による転送
指示命令を検出する命令検出手段と、送受信部３１より受信したスキャン命令に応答して
スキャンユニット１０をスキャン動作させるためのスキャン制御信号を出力する制御信号
出力手段とが備えられている。また、処理回路部４は、各機構状態を検出するためのセン
サ７からの検出信号や、印刷処理を行うためのエンコーダ２２からのエンコード信号を入
力したり、ヘッドドライバ２１に駆動信号を出力したり、あるいはスキャナ回路部３との
間で信号の入出力を行ったりする。
【００２７】
アナログ回路部５は、交流電圧を入力して直流電圧を出力する電源部８からの直流電圧
をＤＣ／ＤＣ変換するＤＣ／ＤＣコンバータ５１を備え、このＤＣ／ＤＣコンバータ５１
の直流電圧を電源電圧として各構成要素に供給する。また、アナログ回路部５は、フィー
ルド用モータ１３およびキャリア用モータ１４を駆動回転させるモータドライバ５２を備
えている。
【００２８】
このような構成を有するスキャナプリンタ１００は、ネットワーク１７に接続されたサ
ーバ装置となるパソコン１６に接続され、また、ネットワーク１７には端末装置としての
パソコン１８，１９などが接続されている。
【００２９】
図２は本実施形態のデータ転送システムにおいてスキャナプリンタからのスキャン画像
データを指定したパソコンに転送する処理を説明するためのフローチャートである。この
フローチャートを参照して、スキャナプリンタ１００から例えばパソコン１８へスキャン
画像データを転送する場合の処理について説明する。
【００３０】
このシステムの初期設定としては、スキャナプリンタ１００において、識別証（身分証
明書、免許証、保険証、パスポートなど）を読み込もうとする内容（名前、生年月日など
）のスキャン位置を決定する。また、読み込んだ識別証の内容により、スキャンプリンタ
１００からのスキャン画像データを転送する転送先の端末装置としてのパソコン１８，１
９などにそれぞれの識別証の内容を予め登録しておく。なお、識別証の内容は、ユーザに
より異なり、各ユーザのパソコンにはそれぞれ異なった内容が登録されることになる。こ
れにより、識別証の内容に応じてパソコンを指定することが可能になる。
【００３１】
先ず、スキャナプリンタ１００において、スキャンした原稿の画像データを指定した例
えばパソコン１８に転送するためには、先ず、操作部９に備えられている転送キーを押す
。この転送キーが押されると、転送指示命令がスキャナ回路部３のＩ／Ｏコントローラ３
２を介して処理回路部４のＭＰＵ４１に入力され、転送指示命令が検出される。そして、
ＭＰＵ４１は、スキャナ回路部３の送受信部３１およびインターフェイス６を介して転送
指示命令を、スキャナプリンタ１００が接続されているパソコン１６に送る。
【００３２】
その転送指示命令を受け取ったパソコン１６は、予め設定したユーザの身分証明を示す
識別証サイズのスキャン領域のスキャン命令をスキャナプリンタ１００に対して指示する
。そのスキャン命令を受け取ったスキャナプリンタ１００のＭＰＵ４１は、スキャナ回路
部３に指定領域内のスキャン動作を行うためのスキャナ・コントロール・データおよびス
キャナ・モータ・コントロール・データを、スキャナコントローラ３３およびモータコン
トローラ３４にそれぞれ送り、スキャナユニット１０およびスキャナ用モータ１２を制御
する。
【００３３】
以上の処理が完了した後、図２に示すフローチャートに従った処理が実行される。先ず
、スキャナユニット１０は、ユーザの識別証の内容をスキャンし（ステップＳ１）、その
内容のデータは、スキャナ回路部３のＩ／Ｏコントローラ３２を介して処理回路部４に送
られ、処理回路部４内で転送用データに変換されて、送受信部３１およびインターフェイ
ス６を介してパソコン１６に送られる。そして、パソコン１６は、その転送用データを処
理して所定のスキャン領域に登録されているユーザの身分証明を示すＮｏ．（身分証明番
号）があるか否かを検索する（ステップＳ２）。
【００３４】
その結果、所定のスキャン領域に登録されているユーザの身分証明を示すＮｏ．があれ
ば、パソコン１６は、そのＮｏ．が転送先のパソコン１８に登録されているか否かを判定
し（ステップＳ３）、登録されている場合は、転送先のパソコン１８のアドレスに、スキ
ャナプリンタ１００からのスキャン画像データを転送する様に設定する（ステップＳ４）
。即ち、パソコン１６は、登録内容にある転送先のパソコン１８のアドレスに、これから
スキャンする画像データを転送するように設定する。
【００３５】
その後は、スキャナプリンタ１００は、通常通り、転送しようとする原稿の画像をスキ
ャンし（ステップＳ５）、そのスキャン画像データを転送しても良いかどうかを（ステッ
プＳ６）、操作部９の表示部（例えばＬＣＤ）、もしくはパソコン１６の表示部（ＯＳＤ
）に確認の表示を行い、ＯＫであれば、この場合、パソコン１８に、そのスキャン画像デ
ータの転送を行い（ステップＳ７）、この処理は終了する。
【００３６】
なお、ステップＳ２において所定のスキャン領域にＮｏ．がないと判定された場合、ス
テップＳ３においてＮｏ．が登録されていないと判定された場合、ステップＳ６において
転送しないと判定された場合は、この処理は終了する。
【００３７】
以上説明した実施形態によれば、スキャナプリンタ１００は、ユーザの身分証明を示す
識別証をスキャンして識別情報を読み取り、サーバ装置としてのパソコン１６は、スキャ
ナプリンタ１００からの識別情報が予め登録されていることを検索した場合、前記識別情
報が予め登録されている端末装置としてのパソコン１８やパソコン１９などに、スキャナ
プリンタ１００で読み取ったスキャン画像データを転送するので、ユーザの身分証明を示
す識別情報の入力操作の手間がなくなり、また、スキャン画像データを磁気ディスクやＣ
Ｄ−Ｒなどに一旦書き込む必要がなくなることにより、スキャン画像データの書き込み処
理に関する操作の手間がなくなり、したがって、ユーザにとって使い勝手の良いデータ転
送システムが得られる。
【００３８】
また、スキャナプリンタ１００を用いてコピー印刷やスキャンを行った場合の使用料金
の情報を、パソコン１６を介して該当のパソコン１８やパソコン１９などに転送すること
も可能になるように構成した場合は、パソコン１８やパソコン１９などでコピー印刷やス
キャンの使用料金を管理することができ、即ち、例えば、身分証明番号の登録されている
人物が在籍している部署へのスキャナプリンタ１００の使用費用の管理を行うことができ
、管理事務の効率を向上させることができる。
【図面の簡単な説明】
【００３９】
【図１】本発明の一実施形態に係るプリンタの構成を示すブロック図である。
【図２】前記実施形態のデータ転送システムにおいてスキャナプリンタからのスキャン画像データを指定したパソコンに転送する処理を説明するためのフローチャートである。
【符号の説明】
【００４０】
９    操作部（操作手段）
１０    スキャナユニット（スキャン手段）
１６    サーバ装置としてのパソコン（スキャン命令指示手段、検索手段、転送要求
手段、表示手段、転送手段）
１７，１８    端末装置としてのパソコン
３１    送受信部（送信手段、受信手段）
４１    ＭＰＵ（命令検出手段、制御信号出力手段）
１００    スキャナプリンタ
【図１】
2005073194.tif 000003
【図２】
2005073194.tif 000004